(57)【要約】【課題】主に寝具内で衣類が着用可能な衣類収納加温器を提供。【解決手段】衣類収納加温器１に裾１５を折り畳んだズボン１０を収納、ズボン支持部材３で支持、及び、裾１６を折り畳んだ襟付きシャツ１３を収納、シャツ支持部材４で襟１４を支持する。次に衣類収納加温器１を寝具内に設置し、体温で加温する。衣類は寝具内で着用する。【選択図】図５
2010158501.tif 000002
【特許請求の範囲】
【請求項１】
開口部、及び、前記開口部でズボンまたはスカートの胴回りを支持するズボンまたはスカート支持部材、及び、前記開口部で襟付きシャツまたはブラウスの襟を支持するシャツまたはブラウス支持部材を有し、寝具の中に入れて体温で加温することを特徴とする衣類収納加温器。
【請求項２】
前記衣類収納加温器と前記寝具が接触する範囲に少なくとも一つ以上の突起を設けることを特徴とする請求項１に記載の衣類収納加温器。
【請求項３】
前記開口部の反対側を水平に閉じることを特徴とする請求項１または請求項２記載の衣類収納加温器。
【請求項４】
前記衣類収納加温器の長さを足の長さよりも短くすることを特徴とする請求項１ないし請求項３記載の衣類収納加温器。
【請求項５】
前記開口部の反対側を折り畳んで長さを調節することを特徴とする請求項１ないし請求項４記載の衣類収納加温器。
【請求項６】
前記ズボンまたはスカートと前記襟付きシャツまたはブラウスを仕切る、仕切り板を設けたことを特徴とする請求項１ないし請求項５記載の衣類収納加温器。
【発明の詳細な説明】
【技術分野】
【０００１】  本発明は衣類収納加温器に関するものである。
【背景技術】
【０００２】  特許文献１には、衣類収納部、及び、衣類加温機構、及び、タイマー機構から構成される衣類収納加温器が提案されている。
【先行技術文献】
【特許文献】
【０００３】
【特許文献１】特開２００５−２５３５１７号公報
【発明の概要】
【発明が解決しようとする課題】
【０００４】  しかしながら、かかる衣類収納加温器では、暖められた衣類を着用するために寝具から一端出る必要があり、その間に体が冷えるなどして、つらい思いをすることがあった。また、衣類を加温するために加温機構が必要であり、省エネルギーにならない場合があった。【０００５】  本発明は従来技術のこのような問題点に鑑みてなされたものであり、その目的は、寝具の中から少なくとも体全体を出すことなく衣類が着用可能な衣類収納加温器を提供することにある。また、省エネルギーな衣類収納加温器を提供することにある。
【課題を解決するための手段】
【０００６】  本発明は、上記課題の少なくとも一部を解決するように、以下の形態、または適用例として実現される。【０００７】  ［適用例１］本適用例の衣類収納加温器は、開口部、及び、前記開口部でズボンまたはスカートの胴回りを支持するズボンまたはスカート支持部材、及び、前記開口部で襟付きシャツまたはブラウスの襟を支持するシャツまたはブラウス支持部材を有し、寝具の中に入れて体温で加温することを特徴とする。この構成によれば、寝具の中でズボンまたはスカートの胴回りから足を入れてズボンまたはスカートを着用でき、かつ、シャツまたはブラウスの襟をつかんで上体を起こすのみで体全体を寝具から出すことなく、シャツまたはブラウスの袖に腕を通してシャツまたはブラウスを着用することができるため、寝具の中から少なくとも体全体を出すことなく衣類が着用可能である。また、この構成によれば、前記衣類収納加温器を寝具の中に入れて体温で加温するため、衣類を加温するための加温機構が不要であり、省エネルギーである。【０００８】  ［適用例２］また、本適用例の衣類収納加温器は、前記衣類収納加温器と前記寝具が接触する範囲に少なくとも一つ以上の突起を設けることを特徴とする。この構成によれば、寝具の中に衣類収納加温器を入れたときに、突起が寝具に食い込み、動きにくくなるため、寝相が悪くても前記衣類収納加温器が寝具から押し出されることが少なくなり、衣類が確実に加温される。【０００９】  ［適用例３］また、本適用例の衣類収納加温器は、前記開口部の反対側を水平に閉じることを特徴とする。この構成によれば、前記衣類収納加温器と寝具の密着性が一層高まり、寝具内の暖気の逃げが低減するため、衣類がより確実に加温される。【００１０】  ［適用例４］また、本適用例の衣類収納加温器は、前記衣類収納加温器の長さを足の長さよりも短くすることを特徴とする。この構成によれば、ズボンまたはスカートを着用する際の前記衣類収納加温器の寝具からのはみ出しが低減できるため、衣類が冷えることなく、より確実に加温される。【００１１】  ［適用例５］また、本適用例の衣類収納加温器は、前記開口部の反対側を折り畳んで長さを調節することを特徴とする。この構成によれば、寝具、体のサイズに合わせて衣類収納加温器の長さを変えることができるため、前記衣類収納加温器の寝具からのはみ出しが低減し、かつ、前記衣類収納加温器と寝具の密着性が高まるため、衣類がより確実に加温される。【００１２】  ［適用例６］また、本適用例の衣類収納加温器は、前記ズボンまたはスカートと前記襟付きシャツまたはブラウスを仕切る、仕切り板を設けたことを特徴とする。この構成によれば、寝具内でズボン（スカート）またはシャツ（ブラウス）のどちらか一方を前記衣類収納加温器から取り出したときに、他方が引きずられて出てしまうことがない。したがって、他方の衣類を寝具内で手探りにより探し出すことが困難になることがない。よって、他方の衣類を目視で探し出すために寝具を剥いでしまい、衣類、及び、身体が冷えてしまうことを低減できる。【００１３】  本発明の実施形態につき、図により説明する。以降、説明はズボンと襟付きシャツで行うが、スカート、襟付きブラウスでも同様である。図��は本発明の実施形態を示す概略斜視図である。衣類収納加温器１の開口部２にはズボン支持部材３、シャツ支持部材４が設けてあり、胴部５をはさんで開口部２の反対側には胴部５を折り畳んで水平に閉じた水平閉じ部６を有する。ズボン支持部材３はクリップ３ａとひも３ｂから構成される。胴部５内部にはズボンおよび襟付きシャツを仕切るための仕切り板３０を設けている。さらに、胴部５の上面には寝具に食い込むための突起４１を設けている。【００１４】  図２は本発明の衣類収納加温器にズボンを収納した状態例を示す概略正面図であり、図１の矢印Ｓ方向から見た図である。ズボンのチャック部分１１を開いて上側になるようにズボン支持部材３で支持している。なお、胴部５の底面には寝具に食い込むための突起４２を設けている。【００１５】  図３はズボン支持部材変形例にズボンを収納した状態例を示す概略正面図であり、図１の矢印Ｓ方向から見た図である。ズボン支持部材として開口部２に突起７を設け、ズボン１０のベルト通し１２を引っ掛けて支持している。【００１６】  図４はシャツ支持部材に襟付きシャツを収納する方法例を示す説明図であり、シャツ支持部材４部分を拡大して示した図である。裾１６をあらかじめ折り畳んだ襟付きシャツ１３を衣類収納加温器１に収納し、その際に襟１４の折り返し部分をシャツ支持部材４にはめ込み支持する（矢印Ｉ方向）。【００１７】  図５は本発明の衣類収納加温器にズボン及び襟付きシャツを収納した状態例を示す概略断面図であり、図１の矢印Ｄ方向から見た図である。図５では衣類収納加温器１の長さＬが足の長さよりも短いので、ズボン１０の裾１５は折り畳まれて収納されている。また、襟付きシャツ１３の裾１６も折り畳まれて収納されている。【００１８】  図６は本発明の衣類収納加温器の寝具内設置例を示す説明図である。寝具としての敷布団１７の上に枕１８をして人１９が寝ており、寝具としての掛け布団２０がその上に掛かっている。なお、衣類収納加温器１の設置状態を説明するために、掛け布団２０は透明に描いてある。なおまた、寝具はこれに限らず、ベッド、寝袋などでも良い。【００１９】  ここで、作用効果として、人１９の体温で衣類収納加温器１内部のズボン１０及び襟付きシャツ１３を加温するため、衣類を加温するための加温機構が不要であり、省エネルギーである。なお、寝具内を暖め、人１９が寒さを感じにくいようにする目的として電気毛布、電気アンカー、湯たんぽなどが寝具内にあっても良い。【００２０】  図７、図８は寝具内でズボンを着用する方法例を示す概略断面図である。人体の動きがわかりやすいように人体は太線で示した。人１９の折り曲げた足２２をズボン１０の胴回り２３に入れる（図７）。次に、ズボン１０の胴回り２３をズボン支持部材３より取り外し、手でつかんで上体のほうに引き上げ、ズボン１０を着用する（図８）。【００２１】  ここで、作用効果として、ズボン１０の胴回り２３を開口部２のズボン支持部材３で支持しているため、足が入りやすく、寝具の中でズボン着用が可能となる。さらに、図２で示すようにズボン１０のチャック部分１１を開いて上側になるようにズボン１０の胴回り２３を支持しているため、仰向けで足を折り曲げて、ズボン���０に足を通すことにより、ズボン１０の前後ろの向きが正しいまま寝具の中でズボン１０を着用することができる。寝具の中で手探りによりズボン１０の前後ろの向きを変えるのは手間が掛かる。なお、ズボン１０の前とはチャックのある側であり、後ろとはお尻が来る側のことである。【００２２】  また、作用効果として突起４１が掛け布団２０に、または、突起４２が敷布団１７に食い込むことにより、就寝中のみならずズボン１０着用中でも衣類収納加温器１が寝具から押し出されることが少なくなり、衣類が確実に加温される。【００２３】  また、作用効果として衣類収納加温器１の長さＬが足より短いため、図７に示すように足を折り曲げてズボン１０の胴回り２３に足を入れるときに、衣類収納加温器１が掛け布団２０及び敷布団１７の寝具からはみ出すことを低減できる。したがって、衣類収納加温器１内のズボン１０及び襟付きシャツ１３が冷えることを低減でき、それらを確実に加温することができる。【００２４】  なおまた、作用効果として図６、図７に示すように開口部２の反対側に胴部５を折り畳んで水平に閉じた水平閉じ部６を有するため、水平閉じ部６付近で敷布団１７と掛け布団２０の密着性が高まり、隙間が空くことが低減し、衣類収納加温器１内のズボン１０及び襟付きシャツ１３をより確実に加温することができる。【００２５】  さらに、水平閉じ部６の胴部５を折り畳む長さを変えることにより、衣類収納加温器１の長さＬを調節することができる。すなわち、敷布団１７または掛け布団２０、体のサイズに合わせて長さＬを変えることができるため、衣類収納加温器１が敷布団１７及び掛け布団２０からはみ出すことが低減すると共に衣類収納加温器１と敷布団１７及び掛け布団２０の密着性が高まる。よって、衣類収納加温器１内のズボン１０及び襟付きシャツ１３をより確実に加温することができる。【００２６】  また、作用効果として図７に示すようにズボン１０と襟付きシャツ１３を仕切る、仕切り板３０を設けてあるため、図８に示すように、衣類収納加温器１からズボン１０を取り出したときに、襟付きシャツ１３が引きずられて出てしまうことがなく、この次に、手探りで襟付きシャツ１３を寝具内から探し出すことが容易になる。したがって、襟付きシャツ１３を目視で探し出すために寝具を剥いでしまい、衣類、及び、身体が冷えてしまうことを低減できる。【００２７】  図９、図１０は寝具内で襟付きシャツを着用する方法例を示す概略断面図である。上体を少し起こし、右手２４で襟付きシャツ１３の襟１４をつかみ、シャツ支持部材４から取り外す（図９）。作用効果として図９で示すように開口部２で襟付きシャツ１３の襟１４を支持部材４で支持しているため、寝具内、手探りで襟１４をつかみやすい。さらに、シャツ１３を衣類収納加温器１から引っ張り出した時に、襟１４を基準にすると手を通す袖の位置が手探りでもわかりやすいため、寝具内でもシャツ１３が着用しやすくなる。【００２８】  次に、さらに上体を起こし、右手２４で襟付きシャツ１３の襟１４をつかんだ状態で左の袖２５に左腕２６を通し（図１０）、襟付きシャツ１３を羽織った後に、左手で襟付きシャツ１３の裾をつかんで右の袖に右腕を通す（不図示）。作用効果��して図１０で示すように背中、頭部以外の体の部分は寝具内に維持したまま襟付きシャツが着用できるので、体の冷えを低減することができる。【００２９】  最後に、再び、寝具内に身体を入れ、手探りで襟付きシャツ１３のボタンを留め、ズボン１０のジッパーを閉め、ある程度、体裁を整えた後に寝具から出る（不図示）。以上、説明したように、少なくとも体全体を寝具から出すことなく、寝具内で衣類を着用できるため体の冷えを低減することができる。また、突起４１が掛け布団２０に、または、突起４２が敷布団１７に食い込むことにより、就寝中のみならずシャツ１３着用中でも衣類収納加温器１が寝具から押し出されることが少なくなり、衣類が確実に加温される。【００３０】  なお、衣類の着用方法は図７〜図１０に示したものに限定されず、着用手順、左右が異なるなどしても、少なくとも体全体を寝具から出すことなく、寝具内で衣類を着用可能である。【００３１】  次に、本発明の実施形態の構成例について説明する。衣類収納加温器１の胴部５の材質として紙、皮、プラスチック、ゴム、布、木、陶器、金属などが適用できる。なお、紙、皮、ゴム、布などの可撓性を有する材質を用いることにより、胴部５と寝具の密着性が高まり、衣類が確実に加温される利点を有する。また、皮、プラスチック、ゴム、木、陶器などのしわになりにくい材質を使うことにより、衣類がしわになりにくくなる利点を有する。【００３２】  衣類収納加温器１の開口部２の材質として紙、皮、プラスチック、ゴム、布、木、陶器、金属などが適用できる。なお、材質の硬度を胴部５より大きくすることにより、寝具内で胴部５よりも開口部２の変形を小さくでき、寝具内で開口部２に手足を入れやすくなると共に、胴部５と寝具の密着性が高まる。その結果、衣類が確実に加温されると共に、衣類着用時に身体や衣類収納加温器１が寝具からはみ出すことが低減できる利点を有する。【００３３】  衣類収納加温器１の水平閉じ部６の材質として紙、皮、ゴム、布、金属など折り畳み可能なものが適用できる。【００３４】  衣類収納加温器１の突起４１、４２の材質として紙、皮、プラスチック、ゴム、布、木、陶器、金属などが適用できる。また、胴部５の一部を凸に変形させた形態でも良い。【００３５】  衣類収納加温器１の仕切り板３０の材質として紙、皮、プラスチック、ゴム、布、木、陶器、金属などが適用できる。なお、皮、プラスチック、ゴム、木、陶器などのしわになりにくい材質を使うことにより、衣類がしわになりにくくなる利点を有する。【００３６】  以上、本発明の寝具の中から少なくとも体全体を出すことなく衣類が着用可能な衣類収納加温器をその原理と実施形態に基づいて説明してきたが、本発明はこれら実施形態に限定されず様々な変形が可能である。
【図面の簡単な説明】
【図１】本発明の実施形態を示す概略斜視図である。
【図２】本発明の実施形態を示す概略正面図である。
【図３】本発明の別の実施形態を示す概略正面図である。
【図４】襟付きシャツを収納する方法例を示す説明図である。
【図５】本発明の実施形態を示す概略断面図である。
【図６】本発明の実施形態を示す概略斜視図である。
【図７】ズボン着用の方法例を示す説明図である。
【図８】ズボン着用の方法例を示す説明図である。
【図９】襟付きシャツ着用の方法例を示す説明図である。
【図１０】襟付きシャツ着用の方法例を示す説明図である。
【符号の説明】１・・・衣類収納加温器、２・・・開口部、３・・・ズボン支持部材、４・・・シャツ支持部材、５・・・胴部、６・・・水平閉じ部、１０・・・ズボン、１１・・・チャック部分、１２・・・ベルト通し、１３・・・襟付きシャツ、１４・・・襟、１５、１６・・・裾、１７・・・敷布団、１８・・・枕、１９・・・人、２０・・・掛け布団、２２・・・足、２３・・・胴回り、２４・・・右手、２５・・・左の袖、２６・・・左腕、３０・・・仕切り板、４１、４２・・・突起
【図１】
2010158501.tif 000003
【図２】
2010158501.tif 000004
【図３】
2010158501.tif 000005
【図４】
2010158501.tif 000006
【図５】
2010158501.tif 000007
【図６】
2010158501.tif 000008
【図７】
2010158501.tif 000009
【図８】
2010158501.tif 000010
【図９】
2010158501.tif 000011
【図１０】
2010158501.tif 000012